(57)【要約】【課題】携帯端末において、電池の異常を常時良好に行えるようにする。【解決手段】電池パック４とデータ通信を行うデータ通信端子３５ｂと、データ通信端子３５ｂを介した電池パック４との通信で、電池パック４に関する判定を行い、その判定で電池パック４の異常を判定する制御部１１と、当該端末の主電源がオフの状態で制御部１１が異常を判定した場合に、異常を告知する告知部２４，２５とを備えた。【選択図】図１
2009124424.tif 000002
【特許請求の範囲】
【請求項１】
二次電池が内蔵された電池パックが電源として接続される携帯端末において、
前記電池パックとデータ通信を行うデータ通信端子と、
前記データ通信端子を介した前記電池パックとの通信で、前記電池パックに関する判定を行い、その判定で前記電池パックの異常を判定する制御部と、
当該端末の主電源がオフの状態で前記制御部が異常を判定した場合に、異常を告知する告知部とを備えたことを特徴とする
携帯端末。
【請求項２】
前記制御部が異常であると判定した場合に、少なくとも予め決められた一定時間、前記告知部で異常告知動作を実行させることを特徴とする
請求項１に記載の携帯端末。
【請求項３】
前記告知部は、端末が備える点灯部を点灯又は点滅させて異常告知動作を行うことを特徴とする
請求項２に記載の携帯端末。
【請求項４】
前記制御部は、前記異常告知動作の実行中又は異常告知動作を実行させた後に主電源が投入されたことを検出すると、前記電池パックの異常を、表示部での表示又は音声部からの出力音声で告知させることを特徴とする
請求項３に記載の携帯端末。
【請求項５】
前記制御部が異常であるとの判定は、前記データ通信端子を介して前記電池パック側と通信を試みて、前記電池パックの正常な認証ができない場合であることを特徴とする
請求項１に記載の携帯端末。
【請求項６】
前記制御部での異常の判定は、前記電池パックが装着された際に行うことを特徴とする
請求項１に記載の携帯端末。
【発明の詳細な説明】
【技術分野】
【０００１】
本発明は、インテリジェンス電池パックを電源として装着可能な携帯電話端末などの携帯端末に関する。
【背景技術】
【０００２】
携帯電話端末に電源として装着される電池パックには、自ら電圧、電流、温度などを測定して二次電池の状態を判断して、データ通信用の端子を経由して、携帯電話端末本体側にデータを送信するインテリジェンス電池パックがある。インテリジェンス電池パックは、電池残量などの測定したデータを携帯電話端末に送信するために、所定の時間ごとに携帯電話端末にデータを送信する。インテリジェンス電池パックと携帯電話端末とのデータの送受信には、例えばシリアルインターフェースが用いられる。
【０００３】
電池パックと携帯電話端末との通信で端末側に伝送されるデータとしては、温度や電圧などの測定データの他に、電池パックが内蔵した二次電池の内部短絡という異常を検知したデータもある。この二次電池の内部短絡を端末側の回路で検出した場合に、携帯電話端末の表示パネルに、該当する異常を表示させることになる。
【０００４】
特許文献１には、二次電池の内部短絡を検出した場合に、端末の表示器に表示させる点についての記載がある。
【特許文献１】特開２００６−２５８７９７号公報
【発明の開示】
【発明が解決しようとする課題】
【０００５】
ところが、特許文献１などに記載された表示処理は、基本的に端末の電源が投入されていることが前提であり、端末の主電源がオフ状態の場合には、表示などが何も行われないため、ユーザは電源キーの操作などで電源が投入されるまで、異常を知ることができないという問題があった。
【０００６】
電池電圧の異常などは、端末の電源が投入された状態だけでなく、電源がオフの状態でも、端末内の回路にダメージを与える可能性があり、本来は電源のオン・オフ状態に関係なくユーザに告知することが好ましい。しかしながら、実際には電源がオンの状態の場合に限って、表示などで電池異常を告知するようにしてあり、好ましくなかった。特に、携帯電話端末の電池パックを入れ換えるような作業を行う際には、新たに電池パックを入れた状態では、端末の主電源が通常はオフであり、その状態では、電池異常は表示されず、直ぐに端末の電源キーを押して電源を入れない限り、装着した電池の異常は判らない状態が継続してしまう。
なお、ここまでの説明では、携帯電話端末を例にして説明したが、二次電池が内蔵された電池パックが装着可能なその他の各種携帯端末の場合にも、電池異常に関して同様の問題がある。
【０００７】
本発明は、携帯端末において、電池の異常を常時良好に行えるようにすることを目的とする。
【課題を解決するための手段】
【０００８】
本発明は、二次電池が内蔵された電池パックが電源として接続される携帯端末に適用される。
その構成としては、電池パックとデータ通信を行うデータ通信端子と、データ通信端子を介した電池パックとの通信で、電池パックに関する判定を行い、その判定で電池パックの異常を判定する制御部と、当該端末の主電源がオフの状態で制御部が異常を判定した場合に、異常を告知する告知部とを備えたものである。
【０００９】
このように構成したことで、端末に装着した電池パックに何らかの異常がある場合には、端末の主電源がオフ状態であっても、その異常を判定して告知できるようになる。
【発明の効果】
【００１０】
本発明によると、携帯端末に電池パックを装着した際に、その装着した電池パックの異常が、端末の電源の状態にかかわらずユーザに告知できるようになる。従って、例えば新たに装着した電池パックに異常がある場合で、ユーザが装着後直ぐに電源オンの操作をしない場合でも、対処が可能となる。
【発明を実施するための最良の形態】
【００１１】
以下に本発明の一実施の形態の例を、添付図面を用いて説明する。
図２は、本実施の形態の例の携帯電話端末の背面側に、インテリジェンス電池パック４が取り付けられる構成を示した斜視図である。
【００１２】
図２において、携帯電話端末１は、背面に、インテリジェンス電池パック４を収容する電池収容部５を有しており、電池収容部５の内部にはインテリジェンス電池パック４と電気的に接続するためのバッテリプラス（＋）端子３１ｂと、データ通信端子３５ｂと、バッテリマイナス（−）端子３３ｂとが設置されている。
【００１３】
また、筐体内部の電池収容部５側の壁面には、インテリジェンス電池パック４の温度を計測するための温度検出素子であるサーミスタ１０７が、取り付けられている。また、携帯電話端末１の筐体の下端には、ＡＣアダプタなどの外部電源（図示しない）と接続するための外部電源入力端子３０が設けられている。
【００１４】
インテリジェンス電池パック４には、携帯電話端末１の電池収容部５のバッテリ（＋）端子３１ｂ、データ通信端子３５ｂ、およびバッテリ（−）端子３３ｂに対応する位置にバッテリ（＋）端子３１ａ、データ通信端子３５ａ、およびバッテリ（−）端子３３ａが設置されている。インテリジェンス電池パック４が携帯電話端末１の電池収容部５に収容されたとき、これらの端子が互いに接触して、インテリジェンス電池パック４と携帯電話端末４が電気的に接続する。
なお、図２に示した電池収容部５の近傍の携帯電話端末１の背面は、図示しない電池カバーにより蓋をする構成としてある。
【００１５】
次に、インテリジェンス電池パック４が携帯電話端末装置１の電池収容部５に収容された状態で、インテリジェンス電池パック４と携帯電話端末１との電気的な接続構成を図１に示したブロック図を用いて説明する。
【００１６】
図１に示したように、インテリジェンス電池パック４は、二次電池で構成される電池セル４２が内蔵されて、バッテリプラス（＋）端子３１ａを電池セル４２の正極に接続してある。電池セル４２の負極は、電流測定抵抗４３とスイッチ４４を介して、バッテリマイナス（−）端子３３ａに接続してある。電池セル４２を構成する二次電池としては、例えばリチウムイオン二次電池が使用される。
【００１７】
電池セル４２の電圧、電流、温度を測定するフュエルゲージ処理部（以下「ＦＧ処理部」と称する）４０を備える。そして、ＦＧ処理部４０からのデータを携帯電話端末１に転送する処理を行うと共に、スイッチ４４を制御する保護処理部４１を備える。ＦＧ処理部４０と保護処理部４１とは、それぞれ集積回路（ＩＣ）化した回路で構成してもよい。
【００１８】
ＦＧ処理部４０は電池セル４２の電圧を計測する電圧計測部４００と、電池セル４２の温度を計測する温度計測部４０１と、電流測定抵抗４３に流れる電流を測定する電流計測部４０２とを備えている。
【００１９】
電圧計測部４００と、温度計測部４０１と、電流計測部４０２で計測した結果はマルチプレクス（ＭＵＸ）４０３を介して、アナログ／デジタル変換器（以下ＡＤＣと称する）４０４に供給する。例えば、それぞれの計測結果を、時分割でマルチプレクス４０３からアナログ／デジタル変換器４０４に供給する。ＡＤＣ４０４で変換されたデータは、後述する中央制御ユニット（ＣＰＵ：Central Processing Unit）４０５に転送する。ＣＰＵ４０５に得られた測定結果のデータは、データ通信を行うためのシリアルインターフェース（以下ＳＩＦと称する）４０７に送出する。ＣＰＵ４０５は、携帯電話端末１とのデータ通信を制御する通信制御部としても機能し、ＦＧ処理部４０などのインテリジェンス電池パック４内の各回路を作動させるクロックの供給の制御についても行う構成としてある。即ち、ＦＧ処理部４０は、クロック発生回路（図示せず）を備えて、通常動作中（起動中）には数ＭＨｚの周波数のクロックを生成させて、各部を作動させる。また、停止中には、それよりも周波数が大幅に低い数十ｋＨｚの周波数のクロックを生成させて、停止状態からの起動などの最低限の動作が行える状態としてある。
【００２０】
ＣＰＵ４０５は、ＡＤＣ４０４から取得したデータに基づいて電池残量等の計算を行う。メモリ４０６にはＣＰＵ４０５の電池残量の演算アルゴリズムなどを含むソフトウエアや、ＡＤＣ４０４でデジタル化したデータを格納する。メモリ４０６には、この電池パック４の認証用のシリアル番号などのデータも格納してあり、ＣＰＵ４０５がその認証用のデータをメモリ４０６から読み出して、端末側に送る構成としてある。
【００２１】
保護処理部４１は、レベル変換回路（Ｌ／Ｓ）４１０を有しており、ＳＩＦ４０７から伝送されたデジタル信号のレベルを、インテリジェンス電池パック４に接続する携帯電話端末１で受信できる信号レベルに変換し、変換したレベルの信号をデータ通信端子３５ａに供給する。また、保護処理部４１は、保護回路４１１を備え、保護回路４１１がスイッチ４４の制御を行う。即ち、ＦＧ処理部４０から保護処理部４１に電池セルの異常などが伝えられたときに、保護回路４１１がスイッチ４４をオフ状態として、保護動作を行う。
【００２２】
次に、本例のインテリジェンス電池パック４が装着される携帯電話端末１側の構成について説明する。
携帯電話端末１は、端末内の各部の動作制御を行う中央制御ユニット（ＣＰＵ）１１を備えて、そのＣＰＵ１１は内部バスを介して各部と通信ができる構成としてある。即ち、メモリ１３を備えて、ＣＰＵ１１での制御処理に必要なプログラムなどが記憶されていると共に、データの格納を行う。また、液晶表示パネル（ＬＣＤ）１４を備え、液晶表示パネル１４での数字、文字、画像などの表示をＣＰＵ１１が制御する。なお、液晶表示パネル１４はバックライトを備え、数字、文字、画像などを表示させる際には、そのバックライトを点灯させる。バックライトの光源としては、例えば発光ダイオードを使用する。液晶表示パネル１４での表示は、端末の主電源がオンの状態で行うものであり、主電源がオフの状態の場合には、液晶表示パネル１４では何も表示を行わない。さらに主電源がオフの状態の場合、表示パネル１４のバックライト用の発光ダイオードについても消灯している。
【００２３】
また、携帯端末を構成する筐体の開閉を検出する開閉検出部２１を備えて、開閉検出部２１での検出情報を、ＣＰＵ１１に供給する。また、着信時などに端末を構成する筐体を振動させるバイブレータ２２と、キーなどを照明させる発光ダイオード２５を発光させる発光ダイオードドライバ２４とを備えて、それぞれの駆動がＣＰＵ１１で制御される。さらに、端末に配置されたキーマトリクス２３の操作情報を、ＣＰＵ１１に供給する。キーマトリクス２３としては、数字や文字などに対応したキー、各種機能に対応したキーの他に、電源のオン・オフ操作を行うキーも備える。但し、電源のオン・オフ操作を行うキーは、他のキーと兼用されたキーを使用してあり、該当するキーが所定時間（１秒など）連続して押された場合に、電源の操作が行える構成としてある。以下の説明で電源キーと述べた場合には、このような電源操作が可能なキーを示す。
【００２４】
また、このキーの操作でオン・オフできる電源は、いわゆる主電源であり、主電源をオフにした状態でも、携帯電話端末内のＣＰＵ１１内の一部などの最低限の回路は、常時電源が供給されて作動する構成としてある。さらにＣＰＵ１１は、主電源がオフの場合でも、電池パック側と最低限の通信を行って、電池パックの状態を判断できる構成としてある。着信などを知らせる発光ダイオード２５の点灯についても、本例の携帯電話端末１は、主電源がオフの状態でも行えるようにしてある。本例の場合には、この発光ダイオード２５の電源オフ状態での点灯を、電池パック４側の異常の告知用に使用する。この電源オフ時の電池パック４側の異常の告知用の処理の詳細については後述する。
【００２５】
携帯電話端末１が無線電話機として備える通信用の回路としては、送信信号及び受信信号のベースバンド処理を行うベースバンドユニット２６と、送信信号及び受信信号の無線送受信処理を行う高周波部（ＲＦ部）２７とを備える。高周波部２７にはアンテナ２８が接続してある。ベースバンドユニット２６には、レシーバ５１とマイクロフォン５２とスピーカ５３とが接続してあり、受信した音声の出力や送信させる音声の入力が行える。レシーバ５１は、ユーザの耳を端末に近づけて聞き取るものであり、スピーカ５３は、着信音などを比較的大きな音で出力させて告知するためのものである。これらのベースバンドユニット２６や高周波部２７での処理は、ＣＰＵ１１の制御により実行される。
【００２６】
次に、携帯電話端末１内の、電池パック４の充電及び放電に関する構成について説明する。
携帯電話端末１は、外部電源入力端子３０とプラス端子３１ｂとの間に、充電電流検出抵抗１０５と充電制御トランジスタ１０６との直列回路が接続してある。そして、充電電流検出抵抗１０５に流れる電流を、充電処理部１０内の電流検出部１０２で検出し、検出結果を充電制御部１０３へ転送する。充電制御部１０３では、電流検出部１０２および温度検出部１００からの検出結果に基づいて、充電制御トランジスタ１０６を制御する。温度検出部１００で温度を検出する構成については後述する。
【００２７】
携帯電話端末１が電池パック４を充電する場合は、充電処理部１０は、充電制御トランジスタ１０６をオン状態に保つ。充電を停止する場合はオフ状態にして外部入力端子３０とバッテリ（＋）端子３１ｂとの電気的な接続を切断する。検出された充電電流や温度が正常でない場合には、オフ状態にして充電を停止させる。充電電流の検出に基づいた充電の制御は、インテリジェンス電池パック４内の電池セル４２がリチウムイオン二次電池である場合には、定電流充電と定電圧充電を組み合わせた充電を行い、電池セル４２をフル充電又はフル充電に近い状態まで充電させる制御である。
【００２８】
携帯電話端末１内の温度検出部１００で温度を検出する構成について説明すると、この温度検出部１００での温度検出は、図２に示した携帯電話端末１の電池収容部５側の壁面に内蔵させたサーミスタ１０７を利用する。
サーミスタ１０７は、図１に示すように、一端がバッテリマイナス（−）端子３３ｂに接続させてあり、他端が分圧抵抗１０４の一端に接続させてある。分圧抵抗１０４の他端には、充電処理部１０内の基準電圧出力部１０１から、基準電圧が供給される。このサーミスタ１０７と分圧抵抗１０４との接続点の電圧を、温度検出部１００で検出する。温度検出部１００では、検出される電圧値が閾値を超えるか否か判断して、その結果のデータを充電制御部１０３に転送する。充電制御部１０３では、電圧値が閾値を超えているか否かにより、電池パック４の温度が正常か否か判断し、充電の制御を行う。
【００２９】
そして本例においては、サーミスタ１０７と並列に、スイッチング素子としてのトランジスタ１６を接続してある。このトランジスタ１６のオン・オフは、携帯電話端末１の動作を制御するＣＰＵ１１側からポート１５ａを介して供給される信号で制御される。トランジスタ１６をオン状態としたとき、サーミスタ１０７は強制的に短絡される。このトランジスタ１６は、通常はオフ状態とされ、異常時のみオン状態となる。そのオン状態となることで、ＣＰＵ１１側の制御で、充電処理部１０で電池セル４２の充電又は放電を停止させる処理が実行される。
【００３０】
次に、携帯電話端末１の動作を制御するＣＰＵ１１が、インテリジェンス電池パック４と通信を行う構成について説明する。
携帯電話端末１のデータ通信端子３５ｂは、データ通信端子３５ａを介してインテリジェンス電池パック４と通信するためのインターフェースとしてＳＩＦ１２と接続してある。この携帯電話端末１のデータ通信端子３５ｂを介した通信は、例えば、調歩同期シリアル通信回路によるＵＡＲＴの通信が行われる。
【００３１】
データ通信端子３５ｂとＳＩＦ１２との間には、データ通信端子３５ｂのデジタル信号レベルを調節するためのプルアップ抵抗１７が接続してある。また、データ通信端子３５ｂを介したデータ通信を可能な状態に遷移させる信号を出力するポート１５ｂが設けてあり、ＣＰＵ１１からの制御で、ポート１５ｂが該当する信号を出力する。ＳＩＦ１２にはクロック発生回路（図示しない）が内蔵されている。
【００３２】
なお、図１に示すように、携帯電話端末１の各部の動作制御を行うＣＰＵ１１は、内部バスを介して携帯電話端末１内の各回路と接続させてある。例えば、携帯電話端末の動作制御用プログラムや各種データを記憶するメモリ１３と接続させてあり、ＣＰＵ１１の制御で記憶データの読み出しや書き込みが行われる。また、液晶表示パネル１４での表示についても、ＣＰＵ１１が制御する。液晶表示パネル１４では、例えば電池残量や時刻を表示したり、電子メールの表示などを行う。また、電池の異常などを表示させる。
【００３３】
次に、本実施の形態の携帯電話端末１にインテリジェンス電池パック４を装着した状態での、携帯電話端末での処理動作を説明する。
図３は、本実施の形態の携帯電話端末１にインテリジェンス電池パック４を装着した際の処理例を示したものである。
図３に従って説明すると、まずインテリジェンス電池パック４が図２に示すように端末１の電池収容部５に装着されたことを検出すると（ステップＳ１１）、電池パック４から供給される電池電圧を判断し、電池電圧がリセット電圧以上であるか否か判断し（ステップＳ１２）、リセット電圧以上である場合に、電池パック４側とデータ通信端子３５ｂを介して通信を行い、インテリジェンス電池パック４側のメモリ４０６に記憶された認証用のＩＤなどのデータをＣＰＵ１１が読み出す（ステップＳ１３）。そして、読み出したＩＤが、正規の電池パックのＩＤかどうか判断する（ステップＳ１４）。ここで正規の電池パックでないとの判断は、例えば、この端末１に装着可能であると予め決められた形式の電池パックに付与されているＩＤから判断したり、製造メーカのコードなどから判断する。
【００３４】
この判断で、正規の電池パックであると判断した場合には、ＣＰＵ１１は、携帯電話端末内の回路を初期化する処理を行う（ステップＳ１５）。ここで、携帯電話端末１の主電源はオフ状態の場合には、この電池パック４が装着されただけの場合には、主電源がオフ状態のままである。
また、ステップＳ１４の判断で、正規の電池パック以外の電池パックが装着されたと判断した場合には、携帯電話端末１を使用不可とする（ステップＳ１６）。この使用不可とする処理としては、例えば電源キーでオン操作をしても、主電源が投入されない状態とする。或いは、主電源を一旦投入させて、電池が正規品でないことを表示パネルに表示させた後、直ちに電源オフにするようにしてもよい。
【００３５】
ステップＳ１５で初期化が完了すると、電池残量やその他の電池状態などの電池情報の取得処理を行い（ステップＳ１７）、その後タイマを起動させて所定時間が経過したことを判断すると（ステップＳ１８）、ステップＳ１７の電池情報取得処理を繰り返す。
【００３６】
このステップＳ１７及びステップＳ１８の処理と並行して、ステップＳ２１からステップＳ３２までの電池異常の告知処理が実行される。
この電池異常の告知処理としては、まず何らかのキー操作があるか（即ちキーがユーザにより押されたか）否か判断し（ステップＳ２１）、キー操作がない場合には、キー操作があるまで待機する。そして、何らかのキーがある場合には、電池パック４と通信した結果が電池異常ありか否か、ＣＰＵ１１で判断する（ステップＳ２２）。この判断で異常がない場合には、電源キーを照明させる発光ダイオード２５を消灯した状態のままとする（ステップＳ２３）。異常がある場合には、電源キーを照明させる発光ダイオード２５を点滅させる（ステップＳ２４）。ここでの点滅としては、例えば１秒周期などの比較的早い周期での点滅とする。
【００３７】
その後、電源キーが押されたか否かＣＰＵ１１で判断し（ステップＳ２５）、電源キーが押されない限り、ステップＳ２１の判断に戻る。
電源キーが押されたと判断した場合には、電源キーを照明させる発光ダイオード２５を消灯させ（ステップＳ２６）、携帯端末内の各部の電源を投入させる主電源オン処理を行い（ステップＳ２７）、液晶表示パネル１４での表示を開始させて、その表示パネル１４に電池情報を文字や図形などで表示させる（ステップＳ２８）。ここで、ステップＳ２２で電池異常ありと判断した場合には、電池異常が表示されることになる。電池異常でない場合には、例えば電池残量だけが図形などで表示されることになる。
【００３８】
ステップＳ２８での表示を行った後は、タイマを起動させて（ステップＳ２９）、そのタイマで一定時間の経過をカウントした後、再度電池情報を取得し（ステップＳ３０）、電池異常ありか否か判断し（ステップＳ３１）、その判断で電池異常でない場合にはステップＳ２９に戻る。電池異常である場合には、電池異常を液晶表示パネル１４で表示処理する（ステップＳ２８）。
【００３９】
このように処理が行われることで、端末に装着された電池パック内の二次電池に異常がある場合には、そのことが電池パックとの通信でＣＰＵ１１側で判断されて、表示パネル１４での表示でユーザに告知される。ここで、主電源がオフ状態の場合には、液晶表示パネル１４での表示は行われないが、電源キーを照明させる発光ダイオード２５だけは点滅し、電源、即ち電池に関係した異常があることが告知される。電源キーの点滅を確認したユーザは、その後に電源オンとする操作を行うことで、表示パネル１４での文字表示などで電池異常を確認して、対処をとることができるようになる。例えば、電池を交換するなどの対処が可能となる。
【００４０】
なお、この図３のフローチャートでは、ステップＳ２１で何れかのキー操作を検出した場合に、電源異常に対応してキーを点滅させる構成としたが、電池異常を検出した場合には、キー操作がなくても、主電源オフ状態での電池異常時にステップＳ２４の点滅を行う構成としてもよい。
また、ステップＳ１４での電池認証時に、正規の電池パックでないと判断した場合にも、同様に、ステップＳ２４の電源キー点滅処理を行って、その後の電源オン操作後に、表示パネル１４に、電池が正規品でないことに関する電池異常を表示させるようにしてもよい。
さらに、電池異常の検出として、データ通信端子３５ｂを介して電池パック側から伝送されたデータに基づいて異常を検出するようにしたが、携帯電話端末１内でも、サーミスタ１０７の出力から検出された温度などで異常が検出された際にも、電源オフ時にステップＳ２４の電源キー点滅処理を行って、その後の電源オン操作後に、表示パネル１４で電池異常を表示させえるようにしてもよい。
【００４１】
また、ここまで説明した処理では、電池パックの異常を、電源オフ時に電源キーの点滅で告知し、電源オン後に表示パネルでの表示で告知するようにしたが、それぞれその他の告知処理を行うようにしてもよい。
【００４２】
図４のフローチャートは、他の告知処理を行う例を示したものである。この図４において、図３のフローチャートと同一処理については同一のステップ番号を付与してある。
図４において、ステップＳ１５での携帯電話端末の初期化後に、データ通信端子３５ｂを介して電池情報を取得し（ステップＳ１７）、その取得した情報で電池異常を検出したか否か判断し（ステップＳ２２′）、電池異常を検出しない場合には、タイマ処理を行って（ステップＳ１８′）、ステップＳ１７に戻るまでは、図３のフローチャートの処理例と同じである。
そして、ステップＳ２２′で電池異常を検出した場合には、携帯端末内の各種発光ダイオードを点滅させるか、或いはバイブレータ２２を駆動させて、警告処理を行う（ステップＳ２４′）。ここでの発光ダイオードの点滅としては、例えば着信などを報知する発光ダイオードや、表示パネルのバックライト用発光ダイオードなどを使用する。また、点滅ではなく、連続的に点灯させてもよい。
【００４３】
そして、電源キーが押されて電源オンとする操作があると（ステップＳ２５）、ステップＳ２４′での警告動作を停止する。さらに、（ステップＳ３１で電池異常ありと判断した場合にも、電源状態が異常であることを、表示パネルでの表示の他に、各種発光ダイオードの点滅やバイブレータ２２を駆動などで警告させる（ステップＳ３２′）。図４のフローチャートのその他の部分は、図３のフローチャートと同様に処理を行う。
このようにその他の警告動作によっても警告可能である。さらにまた、携帯電話端末１内のメモリに、電池異常であることを警告する音声のデータを記憶させて、電池異常の際の電源オフ状態時に、音声でスピーカ５３から「電池が異常です」などと出力させるようにしてもよい。
【００４４】
また、図１に示した構成では、携帯電話端末内にサーミスタを内蔵させる構成としたが、この構成は一例を示したものであり、これに限定されるものではない。また、表示パネルとしても液晶表示部を備えた構成としたが、有機ＥＬ表示パネルなどのその他の構成の表示部を適用してもよい。データ通信端子を介して携帯電話端末とインテリジェンス電池パックとの間で行われる通信についても、電池残量以外のその他の各種電池状態に関するデータを伝送するようにしてもよい。
さらにまた、ここまでの説明では、携帯電話端末に適用した例について説明したが、その他の電池パックが装着可能な各種電子機器としての携帯端末にも本発明は適用可能である。
【図面の簡単な説明】
【００４５】
【図１】本発明の一実施の形態の例の携帯電話端末とインテリジェンス電池パックとの電気的な接続構成を示したブロック図である。
【図２】本発明の一実施の形態の例における携帯電話端末とインテリジェンス電池パックの装着状態の例を示した斜視図である。
【図３】本発明の一実施の形態の例における電池情報表示処理例を示したフローチャートである。
【図４】本発明の他の実施の形態の例における電池情報警告処理例を示したフローチャートである。
【符号の説明】
【００４６】
１・・・携帯電話端末、４・・・インテリジェンス電池パック、１１・・・中央制御ユニット（ＣＰＵ）、１６・・・トランジスタ、２４・・・ＬＥＤドライバ、２５・・・ＬＥＤ、３５ａ，３５ｂ・・・データ通信端子
【図１】
2009124424.tif 000003
【図２】
2009124424.tif 000004
【図３】
2009124424.tif 000005
【図４】
2009124424.tif 000006